(57)【要約】【課題】前後の識別をより容易に行う。【解決手段】内側に吸収体１３が配設された外装体１２を備えるパンツ型の紙おむつ１００であって、外装体には、当該紙おむつの着用者の腹周りを被覆する腹周り構成部１６及び着用者の背周りを被覆する背周り構成部１７が設けられ、背周り構成部の外面シートには、触覚により認識される不透液性の後表示テープ２が身体と反対側に露出されるように貼設されている。【選択図】図２
2010082132.tif 000002
【特許請求の範囲】
【請求項１】
内側に吸収体が配設された外装体を備えるパンツ型の紙おむつであって、
前記外装体には、当該紙おむつの着用者の腹周りを被覆する腹周り構成部及び前記着用者の背周りを被覆する背周り構成部が設けられ、
前記腹周り構成部及び前記背周り構成部のうち、何れか一方には、触覚により認識される不透液性の前後識別部が前記着用者の身体と反対側に露出されるように貼設されていることを特徴とする紙おむつ。
【請求項２】
前記腹周り構成部及び前記背周り構成部のうち、前記前後識別部が設けられた方は、胴周り方向に沿って伸縮自在に構成され、
前記前後識別部は、
前記胴周り方向と交わる方向に沿って当該前後識別部の一部分を切断する切目が形成されてなり、前記胴周り方向に収縮した状態の前記腹周り構成部又は前記背周り構成部に、前記切目が形成されていない部分に塗布された接着剤を介して前記胴周り方向に伸張されていない状態で貼設されていることを特徴とする請求項１に記載の紙おむつ。
【請求項３】
前記外装体は、前記身体と反対側の表面に設けられた不透液性の表面シートを備え、
前記前後識別部は、前記表面シートの前記身体と反対側の表面に貼設されていることを特徴とする請求項２に記載の紙おむつ。
【請求項４】
前記前後識別部は、多角形の角部が面取りされた形状に形成されていることを特徴とする請求項３に記載の紙おむつ。
【請求項５】
前記外装体は、
前記身体と反対側の表面に設けられた不透液性の表面シートと、
前記表面シートの身体側に設けられ、当該表面シート側の面に前記前後識別部が貼設された不透液性の内側シートと、を備え、
前記表面シートには、前記内側シートに貼設された前記前後識別部の一部を前記身体と反対側に露出させる開口部が形成されていることを特徴とする請求項２に記載の紙おむつ。
【請求項６】
前記開口部は、多角形の角部が面取りされた形状に形成されていることを特徴とする請求項５に記載の紙おむつ。
【請求項７】
前記前後識別部には、前記身体と反対側に突起した突起部が設けられていることを特徴とする請求項１〜６の何れか一項に記載の紙おむつ。
【発明の詳細な説明】
【技術分野】
【０００１】
本発明は、パンツ型の紙おむつに関する。
【背景技術】
【０００２】
従来、紙おむつとして、テープ式のものやパンツ型のものが知られている。このうち、テープ式の紙おむつは、前後を誤って装着するといった問題は生じ難いが、パンツ型の紙おむつにあっては、その前後の形態が酷似しているために、前後を誤って装着してしまうといった問題が生じる虞がある。
そこで、パンツ型の紙おむつの前後の識別を容易化するため、当該紙おむつの所定位置に「まえ」や「うしろ」の文字列が印字されたものが知られている（例えば、特許文献１参照）。
【０００３】
ところで、上記特許文献１にあっては、紙おむつを暗い場所で装着する場合や、或いは目が不自由な人が装着する場合には、当該紙おむつの前後を認識し難くなってしまう。そこで、背側腰回り部及び腹側腰回り部のうち、少なくともいずれか一方に、触覚により前後を識別する識別用部材を備えたものも知られている（例えば、特許文献２参照）。
【特許文献１】特許第３７８９１９７号公報
【特許文献２】特開２００５−１３７５８２号公報
【発明の開示】
【発明が解決しようとする課題】
【０００４】
しかしながら、上記特許文献２にあっては、識別用部材は外装シートの外側シート片と内側シート片との間に設けられており、当該識別用部材が表面に露出された状態となっていない。そのため、着用者や装着を補助する者は、識別用部材に直接接触することができず、当該紙おむつの前後を認識し難いといった問題がある。
【０００５】
そこで、本発明の課題は、前後の識別をより容易に行うことができるパンツ型の紙おむつを提供することである。
【課題を解決するための手段】
【０００６】
上記課題を解決するため、請求項１に記載の発明は、
内側に吸収体が配設された外装体を備えるパンツ型の紙おむつであって、
前記外装体には、当該紙おむつの着用者の腹周りを被覆する腹周り構成部及び前記着用者の背周りを被覆する背周り構成部が設けられ、前記腹周り構成部及び前記背周り構成部のうち、何れか一方には、触覚により認識される不透液性の前後識別部が前記着用者の身体と反対側に露出されるように貼設されていることを特徴としている。
【０００７】
請求項２に記載の発明は、請求項１に記載の紙おむつにおいて、
前記腹周り構成部及び前記背周り構成部のうち、前記前後識別部が設けられた方は、胴周り方向に沿って伸縮自在に構成され、前記前後識別部は、前記胴周り方向に交わる方向に沿って当該前後識別部の一部分を切断する切目が形成されてなり、前記胴周り方向に収縮した状態の前記腹周り構成部又は前記背周り構成部に、前記切目が形成されていない部分に塗布された接着剤を介して前記胴周り方向に伸張されていない状態で貼設されていることを特徴としている。
【０００８】
請求項３に記載の発明は、請求項２に記載の紙おむつにおいて、
前記外装体は、前記身体と反対側の表面に設けられた不透液性の表面シートを備え、前記前後識別部は、前記表面シートの前記身体と反対側の表面に貼設されていることを特徴としている。
【０００９】
請求項４に記載の発明は、請求項３に記載の紙おむつにおいて、
前記前後識別部は、多角形の角部が面取りされた形状に形成されていることを特徴としている。
【００１０】
請求項５に記載の発明は、請求項２に記載の紙おむつにおいて、
前記外装体は、前記身体と反対側の表面に設けられた不透液性の表面シートと、前記表面シートの身体側に設けられ、当該表面シート側の面に前記前後識別部が貼設された不透液性の内側シートと、を備え、前記表面シートには、前記内側シートに貼設された前記前後識別部の一部を前記身体と反対側に露出させる開口部が形成されていることを特徴としている。
【００１１】
請求項６に記載の発明は、請求項５に記載の紙おむつにおいて、
前記開口部は、多角形の角部が面取りされた形状に形成されていることを特徴としている。
【００１２】
請求項７に記載の発明は、請求項１〜６の何れか一項に記載の紙おむつにおいて、
前記前後識別部には、前記身体と反対側に突起した突起部が設けられていることを特徴としている。
【発明の効果】
【００１３】
請求項１に記載の発明によれば、外装体の腹周り構成部及び背周り構成部のうち、何れか一方に着用者の身体と反対側に露出されるように前後識別部が貼設されているので、当該前後識別部が着用者や装着を補助する者の触覚により認識されることとなって、当該紙おむつの前後の識別をより容易に行うことができる。
【００１４】
請求項２に記載の発明によれば、請求項１に記載の発明と同様の効果が得られるのは無論のこと、特に、胴周り方向に収縮した状態の腹周り構成部又は背周り構成部に、前後識別部が胴周り方向に伸張されていない状態で貼設されているので、前後識別部が貼設された腹周り構成部及び背周り構成部が胴周り方向に収縮した状態では、当該前後識別部が胴周り方向によれてしまうことを防止することができる。さらに、前後識別部は、切目が形成されていない部分に塗布された接着剤を介して貼設されているので、腹周り構成部及び背周り構成部が胴周り方向に伸張した状態となっても、胴周り方向に交わる方向に沿って形成された切目が拡がって、当該前後識別部が破損することを防止することができる。
【００１５】
請求項３に記載の発明によれば、前後識別部は、身体と反対側の表面に設けられた不透液性の表面シートの身体と反対側の表面に貼設されているので、請求項２に記載の発明と同様の効果を得ることができる。
【００１６】
請求項４に記載の発明によれば、請求項３に記載の発明と同様の効果が得られるのは無論のこと、特に、前後識別部は、多角形の角部が面取りされた形状に形成されているので、当該前後識別部を多角形状に形成した場合のように、着用者や装着を補助する者が前後識別部の角部に接触してしまうといったことを防止することができる。
【００１７】
請求項５に記載の発明によれば、前後識別部は、外装体の着用者の身体と反対側の表面に設けられた不透液性の表面シートに形成された開口部を介して着用者の身体と反対側に露出されているので、請求項２に記載の発明と同様の効果を得ることができる。
【００１８】
請求項６に記載の発明によれば、請求項５に記載の発明と同様の効果が得られるのは無論のこと、特に、開口部は、多角形の角部が面取りされた形状に形成されているので、前後識別部の露出されている部分の形状を多角形の角部が面取りされた形状にすることができ、当該開口部を多角形状に形成した場合のように、着用者や装着を補助する者が前後識別部の角部に接触してしまうといったことを防止することができる。
【００１９】
請求項７に記載の発明によれば、請求項１〜６の何れか一項に記載の発明と同様の効果が得られるのは無論のこと、特に、前後識別部に突起部が設けられているので、当該突起部によって、当該前後識別部が着用者や装着を補助する者の触覚により容易に認識されることとなって、当該紙おむつの前後の識別をより容易に行うことができる。
【発明を実施するための最良の形態】
【００２０】
以下に、本発明について、図面を用いて具体的な態様を説明する。ただし、発明の範囲は、図示例に限定されない。
図１は、本発明を適用した一実施形態の紙おむつ１００の展開図であり、図２は、紙おむつ１００を組み立てた斜視図である。また、図３は、図１のIII−III線における紙おむつ１００の要部断面図である。
【００２１】
本実施形態の紙おむつ１００は、例えば、人体の股下側を腹側から背側にかけて覆うパンツ型の紙おむつであり、具体的には、図１〜図３に示すように、おむつ本体１と、このおむつ本体１の背周り構成部１７に貼設された後表示テープ２とを備えている。
なお、以下の説明にあっては、人体の背側から股下を通って腹側に亘る方向を長手方向Ｘとし、長手方向Ｘに略直交する方向を幅方向Ｙとする。
【００２２】
先ず、おむつ本体１について説明する。
おむつ本体１は、当該紙おむつ１００の着用者の身体と接する接触面に配されるトップシート１１と、使用装着時に外部側に設けられる外装体１２と、トップシート１１と外装体１２との間に介装される吸収体１３と、吸収体１３の幅方向Ｙ両側縁部に設けられたギャザーシート１４とを備えている。
【００２３】
トップシート１１は、透液性を有する不織布からなり、吸収体１３の表面側（身体側）を覆う形状に形成されている。
外装体１２は、不透液性を有する不織布からなる外面シート１２ａと、外面シート１２ａに貼設される内面シート１２ｂとにより構成され、吸収体１３の裏面側（装着時における外部側）を覆う形状に形成されている。
【００２４】
トップシート１１及び内面シート１２ｂは、例えば、透液性の不織布等により形成されている。
また、トップシート１１及び内面シート１２ｂを形成する不織布の素材としては、天然繊維、合成繊維のいずれを用いても良い。天然繊維としては、例えば、綿、セルロース（木材パルプ）、羊毛、絹等が挙げられる。また、合成繊維としては、例えば、ポリプロピレン（PP）、ポリエチレン（PE）、ナイロン、ポリエステル（PET）、アクリル等が挙げられる。また、PE/PP混合不織布、PE/PET混合不織布、上記素材を適宜組み合わせたバイコンポーネント繊維（混合繊維）もトップシート１１及び内面シート１２ｂとして用いることができる。
【００２５】
また、内面シート１２ｂの内側には、着用者の腰周りに配される漏れ防止シート１５が設けられている。
即ち、外装体１２の長手方向Ｘの一方の端部には、当該紙おむつ１００の着用者の腹周りを被覆する腹周り構成部１６が形成され、他方の端部には、着用者の背周りを被覆する背周り構成部１７が形成されているとともに、腹周り構成部１６と背周り構成部１７との間に、着用者の股間部を被覆する股下部１８が形成されている。そして、腹周り構成部１６及び背周り構成部１７の内面シート１２ｂの内側には、漏れ防止シート１５がそれぞれ貼設されている（図４参照）。
【００２６】
漏れ防止シート１５は、紙おむつ１００装着時に着用者の腰回りに配される不透液性のシートであって、吸収体１３が吸収しきれなかった体液若しくは吸収体１３が一旦吸収した後、体圧などにより染み出した体液等の紙おむつ１００外部への漏れ出しを防止するものである。
また、漏れ防止シート１５の股下部１８側の端部は、吸収体１３の長手方向Ｘ両端部の上面を被覆するように配設されている。
【００２７】
また、腹周り構成部１６及び背周り構成部１７は、略等しい幅を有する略矩形状に形成されている。そして、図２に示すように、腹周り構成部１６の幅方向Ｙ側の各端部と背周り構成部１７の幅方向Ｙ側の各端部がそれぞれ固着されて脇部を形成することで、紙おむつ１００がパンツ型の形状に成形されるようになっている。
【００２８】
さらに、腹周り構成部１６及び背周り構成部１７における外面シート１２ａと内面シート１２ｂとの間には、弾性部材としての複数本の糸ゴム１６ａ、１７ａが挟み込まれて固着されている。これにより、紙おむつ１００の使用の際に、着用者の胴周り及び腰周りで、紙おむつ１００が伸縮自在となるように構成されている。
【００２９】
また、外装体１２の幅方向Ｙ側の両縁部の各々には、腹周り構成部１６の幅方向Ｙ側の各端部から股下部１８を通り背周り構成部１７の幅方向Ｙ側の各端部に亘って、紙おむつ１００の着用者の脚の周りを囲む一対の脚周り部１９、１９が形成されている。
脚周り部１９は、着用者の脚周りに対応させて形成された脚周り用開口部の縁部に沿って、着用者の脚の周りに接触する一対の脚周りギャザー１９ａ、１９ａが設けられている。
【００３０】
脚周りギャザー１９ａには、外面シート１２ａと内面シート１２ｂとの間に、紙おむつ１００の使用の際に着用者の股間部やそけい部等に対する外装体１２の密着性を向上させるための複数本の糸ゴム１９ｂ、…が配設されている。
【００３１】
吸収体１３は、紙おむつ１００の使用時に体液としての尿等の水様成分を吸収するものである。具体的には、吸収体１３は、綿やパルプ等の吸収性素材や、繊維或いはフィルム等のシート状基材と高吸水性樹脂とが組み合わされて形成された吸収体コア１３ａと、吸収体コア１３ａを覆う透液性のクレープ紙１３ｂとを備えている。
【００３２】
吸収体コア１３ａは、例えば、その長手方向Ｘがおむつ本体１の長手方向Ｘと略等しくなるように腹周り構成部１６から股下部１８を通って背周り構成部１７に亘って配設されている。
さらに、吸収体コア１３ａは、例えば、おむつ本体１の形状に対応させて、腹周り構成部１６側及び背周り構成部１７側に対して股下部１８側が幅狭となるように内側に凹んで形成されている。
【００３３】
クレープ紙１３ｂは、吸収体コア１３ａを全体的に包装しており、透液性を有して体液を吸収する働きをなす。
【００３４】
吸収体１３の外装体１２側には、防水フィルム１０が配設されている。
防水フィルム１０は、遮水性を有し、クレープ紙１３ｂを通過した水様分が外装体１２側に漏れることを防止する働きをなす。
【００３５】
ギャザーシート１４は、紙おむつ１００におけるトップシート１１側において、吸収体１３の幅方向Ｙ両側縁部に、吸収体コア１３ａの腹側端部から背側端部にわたり、股下両端部に相当する位置に備えられている。
また、ギャザーシート１４は、不透液性の不織布のシートを二つ折りにし、折り合わされた面を、例えば、ホットメルトや、ヒートシール、超音波シール等により固着させることにより形成されている。また、ギャザーシート１４は、不織布のシートを二つ折りにした状態で、その基端部がトップシート１１と外面シート１２ａとの間に挟まれるように固着されることにより固定されている。そして、不織布のシートが折り合わされた面間に、複数本の糸ゴム１４ａ、…が挟み込まれている。
【００３６】
このような構造のギャザーシート１４が紙おむつ１００に固着されて備えられた状態において、当該ギャザーシート１４の自由端部が起立することにより立体ギャザー１４ｂが形成される。そして、ギャザーシート１４は、糸ゴム１４ａによって着用者の体型に合わせて伸縮自在に変形することで、着用者の身体に密着するようになっている。
【００３７】
なお、ギャザーシート１４を形成する不織布は、上記したトップシート１１及び外面シート１２ａを形成する不織布と略等しい素材から構成され、また、これら不織布の製造方法もほぼ等しくなっている。
【００３８】
次に、後表示テープ２について図４及び図５を参照して詳細に説明する。
図４は、図１のIＶ−IＶ線における紙おむつの要部断面図である。また、図５（ａ）は、収縮状態のおむつ本体１に貼設された後表示テープ２を模式的に示す図であり、図５（ｂ）は、伸張状態のおむつ本体１に貼設された後表示テープ２を模式的に示す図である。
【００３９】
後表示テープ２は、図２等に示すように、略矩形状に形成され、背周り構成部１７の外面シート（表面シート）１２ａの身体と反対側の表面に、吸収体１３よりもわずかに上側となるように配設されている。また、後表示テープ２は、外面シート１２ａに所定の接着剤Ｇを用いて貼設されている。即ち、後表示テープ２は、身体と反対側に露出されるように貼設されている。
なお、接着剤Ｇが塗布された位置については後述する。
【００４０】
また、後表示テープ２は、不透液性の材料、例えば、ポリプロピレン等から形成されている。即ち、後表示テープ２は、不透液性を有する不織布から形成された外面シート１２ａに貼設された状態で、着用者や装着を補助する者にとって外面シート１２ａと異なる手触りとなって、これらの者の触覚により認識されることとなる。
さらに、後表示テープ２は、光沢を具備する材料から形成されても良い。即ち、後表示テープ２の素材として、例えば、ポリプロピレンを適用した場合には、当該後表示テープ２を外面シート１２ａと異なる手触りとすることができるとともに、光沢を具備させることができる。これにより、紙おむつを暗い場所で装着する場合に、わずかな光でも後表示テープ２を認識することができることとなって、当該紙おむつ１００の前後の識別をより容易なものとすることができる。
なお、後表示テープ２の素材は、ポリプロピレンに限られるものではなく、不透液性であって、外面シート１２ａと異なる手触りのものであれば如何なるものであっても良い。
【００４１】
さらに、後表示テープ２には、図５（ａ）及び図５（ｂ）に示すように、当該後表示テープ２の一部分を胴周り方向と交わるように切断する切目Ｃ、…が複数形成されている。
切目Ｃの各々は、長手方向Ｘ、即ち、紙おむつ１００の胴周り方向（幅方向Ｙ）に略直交する方向に沿って延在するように形成されている。具体的には、複数の切目Ｃは、長手方向Ｘに沿って隣り合うものとの間に所定間隔を空けて形成されている。
また、各切目Ｃは、幅方向Ｙに隣り合うものとの間に所定間隔を空けて形成されている。そして、幅方向Ｙに隣り合う切目Ｃどうしの間に、当該後表示テープ２の貼設用の接着剤Ｇが塗布されている。即ち、幅方向Ｙに沿って切目Ｃと接着剤Ｇとが交互に並ぶように設けられている。
このように、接着剤Ｇは、切目Ｃが形成されていない部分に塗布されている。
なお、切目Ｃの配置（接着剤Ｇの配置）は、上記したものは一例であって、適宜任意に変更することができる。
【００４２】
後表示テープ２のおむつ本体１に対する貼設は、当該後表示テープ２が幅方向（胴周り方向）Ｙに伸張されていない状態で、背周り構成部１７を幅方向Ｙに収縮した状態、即ち、伸張していない状態で行われるようになっている（図５（ａ）参照）。
これにより、背周り構成部１７が幅方向Ｙに収縮した状態における後表示テープ２のよれを防止することができる。
なお、後表示テープ２のおむつ本体１に対する貼設を、当該後表示テープ２及び背周り構成部１７の両方を幅方向Ｙに伸張した状態で行っても良い。
【００４３】
そして、当該紙おむつ１００の装着の際等に、背周り構成部１７が幅方向Ｙに伸張されると、それに追随して後表示テープ２が幅方向Ｙに引っ張られることで切目Ｃが拡がった状態となる（図５（ｂ）参照）。
【００４４】
以上のように、本実施形態の紙おむつ１００によれば、後表示テープ２が、外装体１２の背周り構成部１７に着用者の身体と反対側に露出されるように貼設されている。即ち、後表示テープ２は、身体と反対側の表面に設けられた不透液性の外面シート１２ａの身体と反対側の表面に貼設されている。従って、当該後表示テープ２は、着用者や装着を補助する者の触覚により認識されることとなって、当該紙おむつ１００の前後の識別をより容易に行うことができる。
また、後表示テープ２は、胴周り方向に収縮した状態の背周り構成部１７に、切目Ｃが形成されていない部分に塗布された接着剤Ｇを介して胴周り方向に伸張されていない状態で貼設されているので、後表示テープ２が貼設された背周り構成部１７が胴周り方向に収縮した状態では、当該後表示テープ２が胴周り方向によれてしまうことを防止することができるとともに、背周り構成部１７が胴周り方向に伸張した状態となっても、胴周り方向に略直交する方向に沿って形成された切目Ｃが拡がって、当該後表示テープ２が破損することを防止することができる。
【００４５】
以下に、紙おむつの変形例について説明する。
＜変形例１＞
図６は、変形例１の紙おむつ２００を組み立てた斜視図である。
なお、変形例１の紙おむつ２００は、以下に説明する後表示テープ２０２の形状以外の点で上記実施形態におけるものと同様であるので、その説明を省略する。
【００４６】
図６に示すように、変形例１の紙おむつ２００は、おむつ本体１に略円形状に形成された後表示テープ２０２が貼設されている。
即ち、後表示テープ２０２は、多角形の角部が面取りされた形状をなしている。
【００４７】
従って、変形例１の紙おむつ２００によれば、後表示テープ２０２は、略円形状に形成されているので、当該後表示テープ２０２を多角形状に形成した場合のように、着用者や装着を補助する者が後表示テープ２の角部に接触してしまうといったことを防止することができる。
【００４８】
＜変形例２＞
図７は、変形例２の紙おむつの要部断面図である。
なお、変形例２の紙おむつは、以下に説明する後表示テープ３０２の形状以外の点で上記実施形態におけるものと同様であるので、その説明を省略する。
【００４９】
図７に示すように、変形例２の紙おむつは、身体と反対側に突起した突起部３０２ａを具備する後表示テープ３０２を備えている。
即ち、後表示テープ３０２の身体と反対側の面には、突起部３０２ａが複数形成されている。なお、突起部３０２ａは、例えば、エンボス加工により形成されても良い。
【００５０】
従って、変形例２の紙おむつによれば、後表示テープ３０２には、着用者の身体と反対側に突起した突起部３０２ａが設けられているので、突起部３０２ａによって、当該後表示テープ３０２が着用者や装着を補助する者の触覚により容易に認識されることとなって、当該紙おむつ１００の前後の識別をより容易に行うことができる。
【００５１】
なお、変形例２にあっては、後表示テープ３０２に幅方向Ｙに沿って突起部３０２ａを並設するようにしたが、突起部３０２ａの数はこれに限られるものではなく、適宜任意に変更することができる。例えば、後表示テープ３０２の一部分のみに突起部３０２ａを一つだけ設けるようにしても良い。
【００５２】
＜変形例３＞
図８は、変形例３の紙おむつ４００を組み立てた斜視図であり、図９は、紙おむつ４００の要部断面図である。
なお、変形例３の紙おむつ４００は、以下に説明する後表示テープ４０２の貼設位置及び外装体４１２の形状以外の点で上記実施形態におけるものと同様であるので、その説明を省略する。
【００５３】
図８及び図９に示すように、変形例３の紙おむつは、吸収体１３よりもわずかに上側となる位置に開口部４１２ｃが形成された外装体４１２を備え、開口部４１２ｃを介して後表示テープ４０２の一部が露出されるように当該後表示テープ４０２が濡れ防止シート（内側シート）１５の内面シート４１２ｂ側の面に貼設されている。
【００５４】
具体的には、開口部４１２ｃは、略円形状をなしている。即ち、開口部４１２ｃは、多角形の角部が面取りされた形状をなしている。
また、開口部４１２ｃは、外装体４１２の外面シート４１２ａ及び内面シート４１２ｂの各々を略等しい位置にて表裏に貫通するように形成されている。
なお、開口部４１２ｃのうち、外面シート４１２ａを貫通した部分と内面シート４１２ｂを貫通した部分は、略等しい形状をなし、且つ、中心が略等しい位置となっている。
【００５５】
後表示テープ４０２は、開口部４１２ｃの直径よりも縦横の長さが長い略矩形状をなしている。また、後表示テープ４０２は、内面シート４１２ｂの身体側に配設された濡れ防止シート１５の身体と反対側の面に、所定の接着剤Ｇを用いて貼設されている。具体的には、後表示テープ４０２は、当該後表示テープ４０２にて開口部４１２ｃを被覆する位置に配設されている。
これにより、後表示テープ４０２の一部は、開口部４１２ｃを介して身体と反対側に露出された状態となる。
【００５６】
従って、変形例３の紙おむつによれば、後表示テープ４０２は、外装体４１２の着用者の身体と反対側の表面に設けられた不透液性の外面シート４１２ａ及び内面シート４１２ｂに形成された開口部４１２ｃを介して着用者の身体と反対側に露出されているので、当該後表示テープ４０２は、着用者や装着を補助する者の触覚により認識されることとなって、当該紙おむつ４００の前後の識別をより容易に行うことができる。
また、開口部４１２ｃは、略円形状に形成されているので、後表示テープ４０２の露出されている部分の形状を略円形状にすることができ、当該開口部４１２ｃを多角形状に形成した場合のように、着用者や装着を補助する者が後表示テープ４０２の角部に接触してしまうといったことを防止することができる。
【００５７】
なお、後表示テープ４０２にあっては、上記変形例２と同様に、身体と反対側の面に、突起部（図示略）を形成しても良い。
【００５８】
また、本発明は、上記実施形態に限定されることなく、本発明の趣旨を逸脱しない範囲において、種々の改良並びに設計の変更を行っても良い。
例えば、上記実施形態にあっては、後表示テープ２、２０２、３０２、４０２を冷感、温感材料を用いて形成しても良く、これにより、当該後表示テープ２を触覚により認識させ易くすることができ、紙おむつ１００の前後の識別をより容易に行うことができる。
【００５９】
また、後表示テープ２、２０２、３０２、４０２を消臭剤や芳香剤を用いて形成して、尿等の臭いを緩和させるようにしても良い。また、芳香剤を用いた場合には、芳香で紙おむつ１００の前後の識別をより容易に行うことができる。
さらに、後表示テープ２、２０２、３０２、４０２を蛍光、蓄光材料を用いて形成しても良く、これにより、暗所での紙おむつ１００の前後の識別をより容易に行うことができる。
【００６０】
また、上記実施形態では、前後識別部として、後表示テープ２を例示したが、これに限られるものではなく、紙おむつ１００の前後を識別するものであれば如何なるものであっても良く、例えば、腹周り構成部１６に身体と反対側に露出されるように貼設された前表示テープ（図示略）であっても良い。
【図面の簡単な説明】
【００６１】
【図１】本発明を適用した一実施形態の紙おむつの展開図である。
【図２】図１の紙おむつを組み立てた状態を示す斜視図である。
【図３】図１のIII−III線における紙おむつの要部断面図である。
【図４】図１のIＶ−IＶ線における紙おむつの要部断面図である。
【図５】図１の紙おむつのおむつ本体に貼設された後表示テープを模式的に示す図である。
【図６】変形例１の紙おむつを組み立てた斜視図である。
【図７】変形例２の紙おむつの要部断面図である。
【図８】変形例３の紙おむつを組み立てた斜視図である。
【図９】図８の紙おむつの要部断面図である。
【符号の説明】
【００６２】
１００、２００、３００  紙おむつ
１      おむつ本体
２、２０２、３０２、４０２  後表示テープ（前後識別部）
１２、４１２  外装体
１２ａ  外面シート（表面シート）
１３    吸収体
１５    濡れ防止シート（内側シート）
１６    腹周り構成部
１７    背周り構成部
３０２ａ  突起部
４１２ｃ  開口部
Ｃ      切目
Ｇ      接着剤
【図１】
2010082132.tif 000003
【図２】
2010082132.tif 000004
【図３】
2010082132.tif 000005
【図４】
2010082132.tif 000006
【図５】
2010082132.tif 000007
【図６】
2010082132.tif 000008
【図７】
2010082132.tif 000009
【図８】
2010082132.tif 000010
【図９】
2010082132.tif 000011